(57)【要約】【課題】棒状化粧品繰出し容器における、下蓋嵌合筒に対する容器本体の固定筒下部の嵌合が、比較的容易でかつその取外しも、強制的に行うことが可能に形成した。【解決手段】固定筒１２下部を小内径部３１として、該小内径部の上部３２を除く内面部分へ第１凹溝３３をほぼ等間隔に縦設して、これ等第１凹溝と第１凹溝間部分が形成する第１突部３４とを断面波形状に連続させ、嵌合筒３上部外面にほぼ等間隔に第２突部４１を付設し、下部外面に第３突部４３を縦設し、嵌合筒３外面へ固定筒下部を嵌合させた状態で、第１凹溝３３間へ第３突部４３が、第２突部４１と第３突部４３との間に小内径部の上部３２が、第１突部３４上方へ第２凹溝４２が、それぞれ位置するよう設けた。【選択図】  図１
2004174101.tif 000002
【特許請求の範囲】
【請求項１】
底壁２の外周近くから嵌合筒３を、かつ外周から摘み筒４を、それぞれ起立する下蓋１と、
上記嵌合筒３外面へ、固定筒１２の下部を回動不能に嵌合させて摘み筒４上方へ起立する、化粧品繰出し機構付きの容器本体１１と、
上記摘み筒４上方へ起立する容器本体部分外面へ、頂壁２２外周から垂下する周壁２３を着脱自在に嵌合させたキャップ２１とからなる、棒状化粧品繰出し容器において、
上記固定筒１２下部を小内径部３１として、該小内径部の上部３２を除く内面部分へほぼ等間隔に第１凹溝３３を縦設して、これ等第１凹溝３３と第１凹溝間部分が形成する第１突部３４とを断面波形状に交互に連続させると共に、
嵌合筒３外径は、上記小内径部３１内径とほぼ同径として、嵌合筒上部外面の全周ないし一部へほぼ等間隔に第２突部４１を付設してこれ等第２突部間の複数凹溝を第２凹溝４２とし、又嵌合筒３の下部外面へ複数の第３突部４３を縦設させておき、
嵌合筒３外面へ上記小内径部３１を嵌合させた状態で、上記第１凹溝３３間へ第３突部４３が、第２突部４１と第３突部４３との間へ小内径部の上部３２が、更に第１突部３４上方へ第２凹溝４２が、それぞれ位置するよう設け、
第２突部４１が小内径部の上部３２を強制乗越えして、嵌合筒３から固定筒１２が抜け出し可能に形成した
ことを特徴とする棒状化粧品の繰出し容器。
【請求項２】
上記嵌合筒３に上端面開口の縦割溝４４を適当数穿設して、該嵌合筒を弾状変形可能に形成した
ことを特徴とする請求項１記載の棒状化粧品繰出し容器。
【発明の詳細な説明】
【０００１】
【発明の属する技術分野】
本発明は棒状化粧品繰出し容器に関する。
【０００２】
【従来の技術】
棒状化粧品、例えば棒状口紅繰出し容器は、通常底壁外周近くから嵌合筒を、かつ外周から嵌合筒よりも高く摘み筒を、それぞれ起立する下蓋と、上記嵌合筒外面へ、固定筒下部を回動不能に嵌合させて摘み筒上方まで起立する、化粧品繰出し機構付きの容器本体と、上記摘み筒上方へ起立する容器本体部分の外面へ、頂壁外周から垂下する周壁を着脱自在に嵌合させたキャップとで形成されている。尚上記容器本体は、嵌合筒よりも上方へ突出する固定筒外面へ、回動不能に把持筒を嵌合させると共に、固定筒内には棒状化粧品の受筒ないし受皿を嵌合させ、上記固定筒筒壁の左右両側には縦長孔ないし螺状孔を、把持筒内壁面の対向位置には螺状溝ないし縦長溝を、それぞれ穿設させ、又上記受筒等の左右両側面が突出させたピンを、上記縦長孔等と螺状溝等との交点部分において、縦長孔等に挿通させ、かつ螺状溝等内面へピン先端を係合させて、把持筒に対して摘み筒を正逆両方向へ回すと受筒等が固定筒に対して上下動し、棒状化粧品が繰出され、又繰込みされるよう設けている（例えば特許文献１参照）。
【０００３】
【特許文献１】
特開２００１−３４０１３４号公報
【０００４】
【発明が解決しようとする課題】
上記下蓋の嵌合筒に対する固定筒下方筒部の嵌合は、抜出し不能に嵌合させてもよい筈であるが、棒状化粧品の色と、容器本体およびキャップの色ないし模様等との組合せは消費者の好みに応じて変更することがあり、そのため下蓋から固定筒を有する容器本体を、必要に応じて取外して交換できることが望ましい。しかしその取外しがあまりに容易であれば、使用時何等かの理由で下蓋の嵌合筒から容器本体固定筒の下部が外れることがあり、すると棒状化粧品の繰出し、組込みが不能となる。
【０００５】
本発明は、上記下蓋嵌合筒に対する固定筒下部の嵌合が確実であると共に、必要に応じて強制的な取外しが可能であるよう設けたものである。
【０００６】
【課題を解決するための手段】
第１の手段として底壁２の外周近くから嵌合筒３を、かつ外周から摘み筒４を、それぞれ起立する下蓋１と、
上記嵌合筒３外面へ、固定筒１２の下部を回動不能に嵌合させて摘み筒４上方へ起立する、化粧品繰出し機構付きの容器本体１１と、
上記摘み筒４上方へ起立する容器本体部分外面へ、頂壁２２外周から垂下する周壁２３を着脱自在に嵌合させたキャップ２１とからなる、棒状化粧品繰出し容器において、
上記固定筒１２下部を小内径部３１として、該小内径部の上部３２を除く内面部分へほぼ等間隔に第１凹溝３３を縦設して、これ等第１凹溝３３と第１凹溝間部分が形成する第１突部３４とを断面波形状に交互に連続させると共に、
嵌合筒３外径は、上記小内径部３１内径とほぼ同径として、嵌合筒上部外面の全周ないし一部へほぼ等間隔に第２突部４１を付設してこれ等第２突部間の複数凹溝を第２凹溝４２とし、又嵌合筒３の下部外面へ複数の第３突部４３を縦設させておき、
嵌合筒３外面へ上記小内径部３１を嵌合させた状態で、上記第１凹溝３３間へ第３突部４３が、第２突部４１と第３突部４３との間へ小内径部の上部３２が、更に第１突部３４上方へ第２凹溝４２が、それぞれ位置するよう設け、
第２突部４１が小内径部の上部３２を強制乗越えして、嵌合筒３から固定筒１２が抜け出し可能に形成した。
【０００７】
第２の特徴として、上記第１の手段を有すると共に上記嵌合筒３に上端面開  口の縦割溝４４を適当数穿設して、該嵌合筒を弾状変形可能に形成した。
【０００８】
【発明の実施の形態】
以下図面について説明する。まず従来公知の構造について説明すると、１は下蓋であり、該下蓋の底壁２の外周近くからは嵌合筒３を、又外周からは摘み筒４を、それぞれ起立している。該摘み筒は図示のように、主筒４ａ上部に金属筒４ｂを嵌着させて形成してもよく、上下方向中間部に内面開放の外向きフランジ状突部５を有する金属筒４ｂの下半を主筒４ａの内面へ嵌着させ、上半を後述キャップ周壁の嵌合筒に形成し、上記外向きフランジ状突部上面が形成する上向き段部をキャップ周壁下端面との当接面に形成している。又上記金属筒４ｂを嵌合させないで、キャップ周壁下面が直接上記主筒だけで形成した摘み筒４の上端面へ接するよう設けてもよい。
【０００９】
上記嵌合筒３の外面へは、容器本体１１が有する固定筒１２の下部を回動不能に嵌合させる。その容器本体は上記固定筒１２と、該固定筒外面へ回動可能に嵌合させる把持筒１３と、固定筒内面へ上下動可能に嵌合させる棒状化粧品１４の下部装着用の受筒１５ないし受皿とで形成するもので、それ等固定筒と把持筒と受筒ないし受皿とは、棒状化粧品繰出し機構を有する。
【００１０】
該繰出し機構は、図示例において固定筒１２の左右両側に縦長孔１６，１６  を、又把持筒の対向位置に二条の螺溝１７，１７  を、それぞれ穿設し、それ等縦長孔と螺溝との交点に受筒１５の左右外面から突出したピン１８，１８  を、縦長孔に挿通させてその先端を螺溝１７，１７  内へ係合させ、把持筒１３を持ち、摘み筒４を正方向へ回すと受筒１５が上昇して棒状化粧品１４が繰出され、又逆方向へ回すと組込みされるよう設けている。
【００１１】
２１は頂壁２２外周から周壁２３を垂下するキャップで、その周壁を図示例では既述金属筒４ｂの上半外面へ嵌合させているが、金属筒を設けない場合は摘み筒上方へ起立する把持筒部分外面へ嵌合させる。
【００１２】
本発明にあっては、既述固定筒１２の下部を小内径部３１として図３が展開図で示すように、該小内径部の上部３２を除く、筒部分内面へほぼ等間隔に第１凹溝３３を穿設して、それ等第１凹溝間部分が形成する第１突部３４と第１凹溝３３とを断面波形状に交互に連続させた。
【００１３】
又嵌合筒３の外径は、上記小内径部３１内径とほぼ同径として、図２が展開図で示すように嵌合筒上部外面の一部へほぼ等間隔に第２突部４１を付設し、これ等第２突部間の凹溝を第２凹溝４２とした。但しそれ等第２突部および第２凹溝は嵌合筒上部外面の全周に設けてもよい。
【００１４】
又嵌合筒３の下部外面へは複数の第３突部４３を縦設させた。
【００１５】
更に図示例では嵌合筒３に上端面開口の縦割溝４４を複数穿設したが、該縦割溝は必ずしも必要としない。
【００１６】
上記嵌合筒３の上部は図１が示すように、上端部小径のテーパ状とするとよく、各第２突部４１は図２のように上部の左右両面を上内方への傾斜面４１ａ，４１ａ  として上端部を角形に形成するとよい。
【００１７】
上記第１凹溝３３、第１突部３４、第２突部４１、第２凹溝４２、第３突部４３は次の関係を有する。
【００１８】
嵌合筒３に対して、固定筒１２を上方から押下げすると、第１突部３４下端が傾斜面４１ａ  に接し案内されることで、ないしは直接第２凹溝４２内へ入ることで固定筒１２が下降し、次いで第２突部４１上端が小内径部の上部３２下面へ接する。嵌合筒３上端外面をテーパ状としておく等することで、上記小内径部の上部３２は第２突部４１を強制的に乗越えして図１のように該第２突部４１と第３突部４３との間に位置し、又第３突部４３はこのとき、第１凹溝３３内へ位置するよう設ける。尚このとき、第１突部３４上方に小内径部の上部３２を介して第２凹溝４２が位置する。該嵌合状態では、固定筒１２の第１凹溝３３内に嵌合筒３の第３突部４３が位置することで、嵌合筒３に対する固定筒１２の回動が阻止され、又固定筒１２の小内径部上部３２が嵌合筒３の第２突部４１下面へ接することで、嵌合筒３からの固定筒１２の抜出しが防止される。
【００１９】
上記嵌合状態から固定筒１２を強制的に抜出す場合は、固定筒１２を強く上方へ引上げすることで、固定筒小内径部の上部３２が第２突部４１を無理に乗越え、又第１突部３４が第２凹溝４２内を通り抜けすることで固定筒１２を抜出すことが出来る。
【００２０】
【発明の効果】
本発明は既述構成とするもので、請求項１記載のようにすることで、固定筒１２下部を下蓋１の嵌合筒３外面へ確実かつ容易に嵌合させ、下蓋１を介して容器本体の固定筒１２を回動させることが出来ると共に、該固定筒からの下蓋１の抜出しを防止させることが出来、又必要に応じて強制的にその下蓋１を固定筒１２下部から抜出すことも可能であり、従って下蓋およびキャップに対して容器本体１１を交換することが出来る便利がある。
【００２１】
請求項２のようにすることで、特に嵌合筒３外面への固定筒１２下部の嵌合が容易となる。
【図面の簡単な説明】
【図１】本発明容器の縦断面図である。
【図２】図１要部の拡大展開図である。
【図３】図１他の要部の拡大展開図である。
【符号の説明】
１…下蓋                                ３…嵌合筒
１１…容器本体                  １２…固定筒
１３…把持筒              １５…受筒
３１…小内径部            ３２…小内径部の上部
３３…第１凹溝            ３４…第１突部
４１…第２突部            ４２…第２凹溝
４３…第３突部            ４４…縦割溝
【図１】
2004174101.tif 000003
【図２】
2004174101.tif 000004
【図３】
2004174101.tif 000005